(57)【特許請求の範囲】
【請求項１】
画像形成装置の排紙装置であって、
上記画像形成装置から排出される画像形成後の用紙を積載する排紙台と、上記排紙台上の用紙排出方向の下流側に配置され上記用紙の先端が当接するエンドフェンスと、上記排紙台上の用紙排出方向と交差する排紙台幅方向に互いに平行となるように配置され、少なくともその一方が上記排紙台の外側に向かって回動可能に支持された一対のサイドフェンスと、上記各サイドフェンスの下部近傍に配置され、上記用紙の両側縁を上向きに湾曲させる補正部材とを備え、
上記排紙台の外側に向かって回動可能に支持されたサイドフェンスの下部近傍の補正部材が、その上端部を上記排紙台に設けられた支持部材に軸で回動自在に支持されたことを特徴とする排紙装置。
【請求項２】
請求項１記載の排紙装置において、
上記支持部材は、上記排紙台上に起倒自在に設けられ、上記サイドフェンスの排紙台の外側への回動時に起立状態に保持されることを特徴とする排紙装置。
【請求項３】
請求項１または２記載の排紙装置において、
上記サイドフェンスと上記支持部材は共に上記排紙台に向かって起倒自在に設けられ、同サイドフェンスの排紙台へ向かっての回動時に該サイドフェンスの一部と係合する第１係合部が上記支持部材に形成されていることを特徴とする排紙装置。
【請求項４】
請求項３記載の排紙装置において、
上記サイドフェンスの起立位置へ向かう回動軌道上に位置する上記支持部材の部位に、上記サイドフェンスが起立位置に向かって回動するときに該サイドフェンスと係合する第２係合部を設けたことを特徴とする排紙装置。
【発明の詳細な説明】
【０００１】
【発明の属する技術分野】
本発明は、画像形成後の用紙を積載する排紙装置に関する。
【０００２】
【従来の技術】
原稿画像に応じた内容を用紙に転写する画像形成装置では、排紙スピードを高めるために、画像形成後に排紙される用紙を、その幅方向中心部が両側縁よりも上に位置する凸状のアーチ状に湾曲させて排紙装置に収容されるように排出している。画像形成装置の中でも、孔版印刷やオフセット印刷を行なう印刷装置では、積極的に用紙を湾曲させなくとも、インキに含まれる水分や版の表面に供給される湿し水が画像形成後の用紙の印刷面に転移することで、画像形成後の用紙の印刷面が水分の吸収によって膨潤して伸びて凸状のアーチ状に湾曲してしまう。
【０００３】
凸状のアーチ状に湾曲した画像形成後の用紙は、排紙装置の排紙台に向け落下する間で印刷面の裏面に空気を巻き込み易く、これによって空気の乱流が発生すると共に空気抵抗が大きく、排紙台上に載置されるまでの挙動が不安定となる。この結果、両側縁の向きが不整合となったり、載置位置に移動するまでに時間がかかることがあった。画像形成後の用紙自体の形状によって、移動する際の挙動が安定しない場合には、積載されている用紙の印刷面が未乾燥であると、その面のインクが次に積載される画像形成後の用紙によって擦られることになり、不良画像の原因となったりインクの裏写り等の弊害が発生する。
【０００４】
このような凸状のアーチ状に湾曲した画像形成後の用紙の癖を矯正する目的で、排紙装置の排紙台に回動可能に支持された一対のサイドフェンスの下部に、用紙の幅方向両側縁を上向きに湾曲させる補正部材を固定して設け、この補正部材に画像形成後の用紙の幅方向両側縁を当接させて積載される用紙の形態を逆アーチ状に設定するものが提案されている。
【０００５】
【発明が解決しようとする課題】
従来の排紙装置では、補正部材がサイドフェンスの下部に固定された状態であるので、排紙台上に積載された用紙を取り出すに当りサイドフェンスを排紙台の外側に倒すと、整列された用紙が補正部材ですくい上げられて、その両側縁が不揃いとなってしまうという問題がある。補正部材に画像形成後の用紙が多数載っいる状態でサイドフェンスを倒すと、補正部材やその取付け部に画像形成後の用紙の重みで負荷がかかり、補正部材やサイドフェンスの破損のおそれがある。特にインキによって画像形成された用紙は、トナーによって画像形成された用紙に比べて水分を多く含んでいるので重量があり、補正部材やサイドフェンスに多くの負荷を与える。補正部材がサイドフェンスに固定されていると、サイドフェンスを排紙台側に倒す際の障害となって、排紙装置の収納性が良くないという問題もある。
【０００６】
本発明は、排紙台に積載される画像形成後の用紙の排紙台上での両側縁の整合を保ちながら、整合された用紙の取出し操作を容易に行なえ、サイドフェンスや補正部材の破損を低減できる排紙装置を提供することを目的としている。
【０００７】
【課題を解決するための手段】
請求項１記載の発明では、画像形成装置の排紙装置であって、上記画像形成装置から排出される画像形成後の用紙を積載する排紙台と、上記排紙台上の用紙排出方向の下流側に配置され、上記用紙の先端が当接するエンドフェンスと、上記排紙台上の用紙排出方向と交差する排紙台幅方向に互いに平行となるように配置され、少なくともその一方が上記排紙台の外側に向かって回動可能に支持された一対のサイドフェンスと、上記各サイドフェンスの下部近傍に配置され、上記用紙の両側縁を上向きに湾曲させる補正部材とを備え、上記排紙台の外側に向かって回動可能に支持されたサイドフェンスの下部近傍の補正部材が、その上端部を排紙台に設けられた支持部材に軸で回動自在に支持されたことを特徴としている。
【０００９】
請求項２記載の発明では、請求項１記載の排紙装置において、上記支持部材は、上記排紙台上に起倒自在に設けられ、上記サイドフェンスの排紙台の外側への回動時に起立状態に保持されることを特徴としている。
【００１０】
請求項３記載の発明では、請求項１または２記載の排紙装置において、上記支持部材及び上記サイドフェンスを上記排紙台に向かって起倒自在に設け、上記サイドフェンスの排紙台へ向かっての回動時に該サイドフェンスの一部と係合する第１係合部を上記支持部材に形成したことを特徴としている。
【００１１】
請求項４記載の発明では、請求項３記載の排紙装置において、上記サイドフェンスの起立位置へ向かう回動軌道上に位置する上記支持部材の部位に、上記サイドフェンスが起立位置に向かって回動するときに該サイドフェンスと係合する第２係合部を設けたことを特徴としている。
【００１２】
【発明の実施の形態】
本発明は、画像形成装置に利用される排紙装置である。画像形成装置としてはトナー画像を形成する複写装置やインキ画像を形成する印刷装置が挙げられる。これら装置から排出される画像形成後の用紙は、排紙台上の用紙排出方向の下流側に配置されたエンドフェンスにその先端が当接して落下し排紙台上に積載される。排紙台上の用紙排出方向と交差する排紙台幅方向には、少なくともその一方が排紙台の外側に向かって回動可能に支持した一対のサイドフェンスを互いに平行となるように配置する。一対のサイドフェンスの下部近傍には、用紙の両側縁を上向きに湾曲させる補正部材をそれぞれ配置し、その一方となる排紙台の外側に回動するサイドフェンス側に位置する補正部材を排紙台側に設ける。
【００１３】
外側に回動するサイドフェンス側の補正部材を排紙台側に設けると、サイドフェンスを排紙台の外側に向かって回動させたときに、この補正部材が一緒に回動しなくなり、補正部材の移動による排紙台及び補正部材上に積載された画像形成後の用紙の乱れがなくなる。一方の補正部材だけでなく双方共に排紙台側に設ける構成としても良い。
【００１４】
排紙台側に設けた補正部材を、その上端部を排紙台に設けた支持部材に回動自在に支持して設けると、サイドフェンスを排紙台の外側に向かって回動させたときに、この補正部材が一緒に回動しないので、補正部材の移動による排紙台及び補正部材上に積載された画像形成後の用紙の乱れがなくなる。一方の補正部材だけでなく双方共に支持部材に回動自在に支持して設ける構成としても良い。
【００１５】
支持部材を排紙台上に起倒自在に設け、かつサイドフェンスの排紙台の外側への回動時に起立状態に保持されるようにすると、サイドフェンスを外側に回動させても支持部材は起立状態に保持され、補正部材の移動による排紙台及び補正部材上に積載された画像形成後の用紙の乱れがより少ないものとなる。
【００１６】
支持部材及びサイドフェンスを、排紙台に向かって起倒自在に設け、サイドフェンスの排紙台へ向かっての回動時に該サイドフェンスの一部と係合する第１係合部を支持部材に形成する。サイドフェンスを排紙台に向かって回動させると、支持部材に設けた第１係合部とサイドフェンスの一部とが係合して支持部材がサイドフェンスと同一方向に倒れる。
【００１７】
サイドフェンスの起立位置へ向かう回動軌道上に位置する支持部材の部位に、上記サイドフェンスが起立位置に向かって回動するときに該サイドフェンスと係合する第２係合部を設けても良い。この場合には、サイドフェンスの起立位置への回動動作により支持部材が同一方向に回動し、サイドフェンスと支持部材とが一緒に起立させられる。
【００１８】
【実施例】
（第１実施例）
図１において、排紙装置１が装着された画像形成装置としての孔版印刷装置９０は、回転軸２Ａを中心にして正逆回転可能な版胴２を備えている。版胴２は、印刷工程実行時には時計方向に回転し、マスタ排出時には反時計方向に回転するように回転方向が設定されている。版胴２は、一部を除いて周面に多数の穿孔が形成されており、その表面には、図示しない薄層のメッシュスクリ−ンが取り付けられている。
【００１９】
版胴２の周面における穿孔が形成されていない箇所には、版胴２の一つの母線に沿って磁性体からなるステージ２Ｃと、ステージ２Ｃに対して接離自在に支持された把持部材２Ｄとで構成され、孔版マスタ１１の先端を挟持するクランパ２Ｂが設けられている。マスタ１１の先端以外の範囲は、後述するインキ供給機構３から版胴２の表面に向け供給されるインキの粘着力によって版胴表面に付着するようになっている。
【００２０】
版胴２の内部には、インキ供給機構３が設けられている。インキ供給機構３は、回転軸２Ａの略真下に配置されており、インキローラ３Ａとドクターローラ３Ｂとを主要部として備えている。インキローラ３Ａは、版胴２の回転軸２Ａの下方で、プレスローラ４と対向する位置に配置されており、版胴２の内周面に当接しながら版胴２の周速度と同期した速度で回転し、ドクターローラ３Ｂによって担持量を規定されたインキを版胴２およびメッシュスクリーンの穿孔内に供給することができるようになっている。ドクターローラ３Ｂによって担持量を規定されるインキは、回転軸２Ａに形成されている吐出口から上記両ローラで形成されている楔状空間部で構成されたインキ溜まりに滴下させられるようになっている。
【００２１】
プレスローラ４は、版胴２に対して接離可能に設けられた回転部材であり、後述するレジストローラ９から用紙Ｓが給送された時にその用紙Ｓを版胴２の表面に向け押圧し、用紙Ｓを押圧した際には、版胴２に捲装されているマスタの穿孔からインキを転移させて印刷を行う画像転写部を構成するようになっている。
【００２２】
プレスローラ４の右方には、給紙装置５が設けられている。給紙装置５は、給紙トレイ５Ａに収容される用紙Ｓの最上位のものに対して接離可能に設けられ、用紙Ｓを図示矢印方向に相当する給送方向に送り出す送りローラ６と、用紙Ｓの給送路を挟んで対向配置され、送り出された用紙Ｓの重送を阻止する分離ローラ７、８と、版胴２とプレスローラ４との当接部への用紙Ｓの給送タイミングを設定するレジストローラ９とで構成されている。給紙装置５では、送りローラ６が給紙トレイ５Ａ内に収容される用紙Ｓの最上位のものに当接して回転することにより用紙Ｓが繰り出され、分離ローラ７、８によって最上位の用紙Ｓのみがレジストローラ９に向けて給送される。
【００２３】
給紙装置５の上方には、製版部１０が配置されている。製版部１０では、芯材１１Ａにロール状に巻かれた孔版マスタ１１を版胴２に向かって送り出し、サ−マルヘッド１２とプラテンロ−ラ１３で挟持してサ−マルヘッド１２の発熱素子を選択的に発熱させることで原稿に対応する穿孔処理を行なっている。穿孔処理を終了した孔版マスタ１１は、版胴２とプラテンローラ１３との間に配置され、孔版マスタ１１の搬送速度よりも僅かに速い搬送速度で回転する搬送ローラ対１４に挟持されてカッター１５で必要長さに裁断され、クランパ２Ｂでその先端を挟持されて版胴２の周面に巻装される。
【００２４】
孔版印刷装置９０の上部には、画像読み取り部１６が設置されている。画像読み取り部１６は、装置本体の上面に設置されている原稿載置台１７を有し、この原稿載置台１７をはさんで下方に画像走査部が、そして上方に自動原稿給送装置が設けられている。画像走査部は、原稿載置台１７の長手方向に沿って往復動可能に設けられているもので、原稿載置台１７上に位置する原稿Ｐを照明する光源１８、原稿Ｐからの反射光をＣＣＤ１９に向ける結像光学路を形成するための複数の反射鏡２０および変倍レンズ２１から構成されている。自動原稿給送装置は、原稿載置部２７から原稿Ｐを送り出すローラ２２と複数の搬送ローラ対２３、２４、２５とを備えており、原稿載置部２７に載置された原稿Ｐを原稿載置台１７上に繰り出して画像走査を行なうようになっている。
【００２５】
画像読み取り部１６では、原稿Ｐからの反射光をＣＣＤ１９に取り込むことにより得られる画像情報を制御部２６に出力している。制御部２６では、画像読み取り部１６からの原稿Ｐの読み取りデータが入力されると、その入力情報に応じてサーマルヘッド１２の駆動部を制御するようになっている。
【００２６】
排紙装置１の上方には、排版部３０が配置されている。排版部３０は、版胴２に対して接近可能な一方のローラ３０Ａと排版ボックス３１側に位置する他方のローラ３０Ｂとに掛け渡されたベルト３２が対に配置されて構成されている。排版部３０では、版胴２が反時計方向に回転したとき、孔版マスタ１１の後端を受入れて排版ボックス３１に向け移送するようになっている。排版ボックス３１の上部には、昇降自在の圧縮部材３３が設けられており、排版ボックス３１に収容された孔版マスタ１１を圧縮して次に廃棄される孔版マスタ１１の収容スペースを準備するようになっている。
【００２７】
プレスローラ４と、時計方向へ回転する時の版胴２との対向位置の下流側には、版胴２に対して近接、離間可能な剥離爪４０が設けられており、この剥離爪４０によって版胴２上から用紙Ｓが剥離され、排出搬送装置４１に向けて案内されるようになっている。排出搬送装置４１は、一対のローラ４２、４３に掛け渡された無端状の搬送ベルト４４を備え、版胴２上から剥離された用紙Ｓを排紙装置１に向け搬送するようになっている。搬送ベルト４４の下方には、搬送ベルト４４に対して用紙Ｓを吸引搬送するための吸引ファン４６が配置されている。
【００２８】
孔版印刷装置９０では、次のような印刷工程が実行される。版胴２が反時計方向に回転し、版胴２に捲装されていた孔版マスタ１１が排版部３０のベルト３２によって挟持され、排版ボックス３１に向け移送されて版胴２から除去される。版胴２が時計方向に回転を切り換えられると、インキ供給機構３では、インキ溜まりに溜まっているインキがドクタローラ３Ｂによって混練されてインキローラ３Ａに転移させられ、版胴２のメッシュスクリーン内に浸透していく。
【００２９】
製版部１０では、画像読み取り部１６からの文字画像情報に応じて制御部２６を介したサーマルヘッド１２の発熱素子の発熱制御が行われ、原稿の文字画像に応じた穿孔処理が実行されて孔版マスタ１１への製版が実施される。製版された孔版マスタ１１は、版胴２上に位置するクランパ２Ｂによって先端を把持固定され、版胴２の周面に捲装される。
【００３０】
用紙Ｓは、孔版マスタ１１がインキ供給機構３の位置に達するのに合わせて、レジストローラ９により画像転写タイミングを設定されて繰り出されてインキ供給機構３と対向する画像転写位置に給送され、プレスローラ４によって版胴２の表面に向けて押圧される。これにより、版胴２のメッシュスクリーンを透過したインキが孔版マスタ１１の穿孔を通過して用紙Ｓの表面に転移することになり、原稿画像が転写されて印刷される。この印刷を終えた用紙Ｓ１は、排出搬送装置４１を介して排紙装置１に向かって排出される。
【００３１】
排紙装置１は、プレスローラ４をはさんで給紙装置５と対向配置されている。排紙装置１は、図２にも示すように、孔版印刷装置９０から排出される印刷を終えた用紙Ｓ１を積載する排紙台５０、排紙台５０の矢印Ａで示す用紙排出方向の下流側に配置され用紙Ｓ１の先端Ｓ１ａが当接するエンドフェンス５１、両矢印Ｂで示す用紙排出方向Ａと交差する排紙台幅方向に配置された一対のサイドフェンス５２、５３、補正部材となる一対の補正板５４、５５及び補正板５５を支持する支持部材５６から主に構成されている。
【００３２】
排紙装置１は、排紙台幅方向Ｂに対向して設けた係合板５７ａ、５７ｂを孔版印刷装置９０の排紙側に固定された軸５８ａ、５８ｂにひっかけて、軸５８ａ、５８ｂを中心に図１に示す孔版印刷装置９０の側面９０ａに向かって回動自在に支持されている。排紙装置１は、符号Ｚで示す孔版印刷装置９０の操作者が位置する前面側にサイドフェンス５３が位置するように配置されている。
【００３３】
排紙台５０は、内部空間を有する箱状に形成されていて、その底板５０ａにレール６０が排紙台幅方向Ｂに向かって敷設されている。レール６０には、支持板６３、６４を固着された２つのスライダ６１、６２がそれぞれ摺動自在に支持されている。スライダ６１、６２はレール６０に係合していて、支持板６３、６４を僅かしか上下方向に移動できないようにしている。
【００３４】
支持板６３、６４には、排紙台幅方向Ｂに向かって延出したラック６５、６６が互いの歯部６５ａ、６６ａを向い合わせにして固定されている。各ラック６５、６６の歯部６５ａ、６６ａは、底板５０ａに設けた軸６７に回転自在に支持された共通のピンオン６８に噛合しており、サイドフェンス５２、５３を排紙台幅方向Ｂに向かって相対移動可能としている。
【００３５】
サイドフェンス５２は、用紙排出方向Ａに向かって延出する軸６９により、図３にも示すように、矢印Ｃで示す排紙台外側方向と、矢印Ｄで示す排紙台内側方向に向かって回動可能に支持されている。補正板５４、５５は、用紙Ｓ１の両側縁Ｓ１ｂ、Ｓ１ｃを上向きに湾曲させるものである。補正板５４は、図３に示すように、その上端部５４ａをサイドフェンス５２の下部に軸７０で回動自在に支持されていて、その下端部５４ｂを自重で排紙台５０の上面５０ｂに当接させている。
【００３６】
支持部材５６は、図４、図５に示すように、用紙排出方向Ａに向かって延出していて、その中央下部５６ａを下方に向かって突設形成されている。中央下部５６ａの底は平面を成し、排紙台５０に設けられる可動板８２上に載置されることで支持部材５６を排紙台５０上に立設させている。中央下部５６ａの上部には、支持部材５６を排紙台幅方向Ｂに向かって貫通して凹部７１が形成されている。凹部７１の両側には、支持板６４の両側部６４ａ、６４ｂを挿入するスリット７４、７５が支持部材５６を上下方向に貫通するように形成されている。凹部７１の両側面７１ａ、７１ｂの下部には、長孔７２、７３が互いに対向してスリット７４、７５まで貫通して形成されている。
【００３７】
支持部材５６の長手方向の両端には、上下方向に開口された凹部７６、７７が形成されている。凹部７６、７７の対向する側面７６ａ、７６ｂ及び側面７７ａ、７７ｂには、それぞれ一対の支持孔７８、７９が同軸線状に形成されている。凹部７６、７７には、補正板５５の上端５５ａ側に形成された支持部５５ｃ、５５ｄが挿入される。補正板５５は、支持部５５ｃ、５５ｄに形成される孔８０ａ、８０ｂと凹部７６、７７の支持孔７８、７９とにそれぞれ軸８１Ａ、８１Ｂを挿通させることで、上端部５５ａ側を支持部材５６に回転自在に支持され、下端部５５ｂを自重で排紙台５０の上面５０ｂに当接させている。つまり、補正板５４、５５は、図３に示すように、サイドフェンス５２、５３側から排紙台５０の中央側に向かって下がる傾斜状に排紙台５０の上に配設されている。
【００３８】
サイドフェンス５３は樹脂製で、その中央下部に、凹部７１に向かって延出する一対のアーム部５３ａ、５３ｂを互いに対向させて形成している。アーム部５３ａ、５３ｂには、軸８３Ａ、８３Ｂが長孔７２、７３に向かってそれぞれ突設されている。軸８３Ａ、８３Ｂは、同一軸線上に配置されていて、それぞれを長孔７２、７３内に挿通されてサイドフェンス５３を排紙台外側方向Ｃと排紙台内側方向Ｄに回動自在に支持している。
【００３９】
サイドフェンス５３の下面５３Ａ及び支持部材５６の上面５６Ａは、図６に示すように、排紙台外側方向Ｃに向かって左下がりとなる円弧面にそれぞれ形成されている。下面５３Ａは、支持部材５６の下端内縁５６Ｃを中心とした円弧面に形成されている。上面５６Ａは、下面５３Ａにならう円弧面に形成され、その上縁部５６Ｂを、サイドフェンス５３が軸８３Ａ、８３Ｂを中心として回動するときにおける下面５３Ａの内縁部５３Ｂの回動軌道Ｏ上に配置されており、第１係合部を構成している。
【００４０】
支持部材５６の中央下部５６ａの下方に位置する排紙台５０の上面５０ｂには、開口部５０ｃが形成されている。この開口部５０ｃには、側面を下方に向かって折曲された可動板８２が支持部材５６の中央下部５６ａを載置するように配置されている。可動板８２の上部８２ａと支持板６４の底部６４ｃには、ボス部８２ｂ、６４ｄがそれぞれ形成されている。これらボス部８２ｂ、６４ｄには、コイルスプリング８６の両端がそれぞれ係止され、可動板８２を支持板６４上で上下方向に摺動自在に支持している。コイルスプリング８６は、支持部材５６に上昇付勢力を与えている。
【００４１】
支持板６４は、図５に示すように、断面Ｕ字状に形成されていて、その両側部６４ａ、６４ｂに排紙台幅方向Ｂに延出した溝部８４、８５を対向して形成されている。溝部８４、８５は、長孔７２、７３に挿通された軸８３Ａ、８３Ｂにそれぞれ係合するようになっている。図６では、一方の軸８３Ａのみを示す。溝部８４、８５の奥部８４ａ、８５ａは、上下方向に向かう長孔状に形成されていて、軸８３Ａ、８３Ｂと相まって可動板８２の上昇習性により上昇付勢される支持部材５６の位置を規制している。この実施例では、支持部材５６が図６に実線で示す起立位置にあるときに、上面５６Ａがサイドフェンス５３の下面５３Ａに付勢され同サイドフェンス５３を図示のような起立位置に保持するようになっている。図６において符号８７は、支持板６４の摺動範囲を規制するレール６０に固定したストッパ部材である。
【００４２】
（動作説明）
印刷終了して排紙装置１に向かって排紙される用紙Ｓ１は、インクの水分により、その両側縁Ｓ１ｂ、Ｓ１ｃが図３に示すように中央部よりも下がった凸状のアーチ状に湾曲して排紙台５０に向かって落下する。この用紙Ｓ１は、両側縁Ｓ１ｂ、Ｓ１ｃをサイドフェンス５２、５３の内側面で案内されて落下し、排紙台５０上に位置する補正板５４、５５で両側縁Ｓ１ｂ、Ｓ１ｃが中央部よりも上に位置する凹状のアーチ状に矯正されて積載される。
【００４３】
排紙台５０上に積載された用紙Ｓ１を取り出す場合には、図７に示すように、サイドフェンス５３を排紙台外側方向Ｃに向かって押す。サイドフェンス５３は、軸８３Ａ、８３Ｂを中心として回動するので、その内縁部５３Ｂが回動軌道Ｏ上を移動し支持部材５６の上面５６Ａと干渉することなく回動する。サイドフェンス５３を排紙台外側方向Ｃに回動させる場合、支持部材５６は起立位置に保持された状態となり、支持部材５６に取り付けられた補正板５５もサイドフェンス５３と一緒に回動しなくなる。従って、用紙取り出しのためにサイドフェンス５３を回動させても排紙台５０及び補正板５４、５５上に積載される用紙Ｓ１を乱すことなく取り出せると共に、補正板５５やサイドフェンス５３にも無理な負荷がかからず、両者の破損のおそれがなくなる。操作者が位置する前面Ｚ側に補正板５５を支持する支持部材５６を配置するので、用紙Ｓ１の取出し作業がし易くなる。
【００４４】
図８に２点鎖線で示す起立位置に置かれたサイドフェンス５３を排紙台内側方向Ｄに押すと、サイドフェンス５３の下面５３Ａが第１係合部となる支持部材５６の上面５６Ａと係合して両者が一緒に回動し始める。そして、軸８３Ａ、８３Ｂを回動中心として支持部材５６が排紙台内側方向Ｄに向かって回動する。支持部材５６が回動すると、その下端内縁部５６Ｃにより可動板８２がコイルスプリング８６の付勢力に抗して押し下げられる。下端内縁部５６Ｃが軸８３Ａ、８３Ｂよりも回転方向下流側に位置すると、可動板８２がコイルスプリング８６の付勢力で上昇して支持部材５６を持ち上げ、サイドフェンス５３の排紙台内側方向Ｄへの回動を助長する。この回動は、図９に示すように、補正板５５が可動板８２に当接するまで行なわれ、支持部材５６及びサイドフェンス５３が実線で示す倒れ位置を占める。サイドフェンス５３を排紙台内側方向Ｄへ回動させると、支持部材５６も排紙台５０上に倒れて収納性が良い。
【００４５】
サイドフェンス５３及び支持部材５６が図９に実線で示す倒れ位置を占め、この状態からサイドフェンス５３を起立位置に向かって回動させると、支持部材５６だけ排紙台５０上に倒れた状態で残ってしまう。両者を一度に起立位置に戻す場合には、補正板５５と排紙台５０の上面５０ｂとの間に操作者が指Ｆを差し込み、起立位置に向かって持ち上げれば良い。
【００４６】
（第２実施例）
排紙装置１００は、図１０に示すように、孔版印刷装置９０から排出される印刷を終えた用紙Ｓ１を積載する排紙台１５０、排紙台１５０の矢印Ａで示す用紙排出方向の下流側に配置され用紙Ｓ１の先端Ｓ１ａが当接するエンドフェンス１５１、両矢印Ｂで示す用紙排出方向Ａと交差する排紙台幅方向に配置された一対のサイドフェンス１５２、１５３、補正部材となる一対の補正板１５４、１５５及び補正板１５５を支持する支持部材１５６から主に構成されている。
【００４７】
排紙装置１００は、排紙台幅方向Ｂに対向して設けた係合板１５７ａ、１５７ｂを、孔版印刷装置９０の排紙側に固定された軸１５８ａ、１５８ｂにひっかけて、軸１５８ａ、１５８ｂを中心に孔版印刷装置９０の側面９０ａに向かって回動自在に支持される（図１参照）。排紙装置１００は、符号Ｚで示す孔版印刷装置９０の操作者が位置する前面側にサイドフェンス１５３が位置するように配置されている。
【００４８】
排紙台１５０は、内部空間を有する箱状に形成されていて、その底板１５０ａにレール１６０が排紙台幅方向Ｂに向かって敷設されている。レール１６０には、支持板１６３、１６４を固着された２つのスライダ１６１、１６２がそれぞれ摺動自在に支持されている。スライダ１６１、１６２はレール１６０に係合していて、支持板１６３、１６４を僅かしか上下方向に移動できないようにしている。
【００４９】
支持板１６３、１６４には、排紙台幅方向Ｂに向かって延出したラック１６５、１６６が互いの歯部１６５ａ、１６６ａを向い合わせにして固定されている。ラック１６５、１６６の歯部１６５ａ、１６６ａは、底板１５０ａに設けた軸１６７に回転自在に支持された共通のピンオン１６８に噛合しており、サイドフェンス１５２、１５３を排紙台幅方向Ｂに向かって相対移動可能としている。
【００５０】
サイドフェンス１５２は、用紙排出方向Ａに向かって延出する軸１６９により図１１にも示すように、矢印Ｃで示す排紙台外側方向と、矢印Ｄで示す排紙台内側方向に向かって回動可能に支持されている。補正板１５４、１５５は、用紙Ｓ１の両側縁Ｓ１ｂ、Ｓ１ｃを上向きに湾曲させるものである。補正板１５４は、その上端部１５４ａをサイドフェンス１５２の下部に軸１７０で回動自在に支持されていて、その下端部１５４ｂを自重で排紙台１５０の上面１５０ｂに当接させている。
【００５１】
支持部材１５６は、図１２に示すように、孔版印刷装置９０側から用紙排出方向Ａに向かって延出していて、その中央下部１５６ａを下方に向かって突設形成されている。中央下部１５６ａの底は平面を成し、排紙台１５０に設けられる可動板１８２上に載置されることで支持部材１５６を排紙台１５０上に立設させている。中央下部１５６ａの上部には、支持部材１５６を排紙台幅方向Ｂに向かって貫通して凹部１７１が形成されている。凹部１７１の両側には、支持板１６４の両側部１６４ａ、１６４ｂを挿入するスリット１７４、１７５が支持部材１５６を上下方向に貫通するように形成されている。凹部１７１の両側面１７１ａ、１７１ｂの下部には、長孔１７２、１７３が互いに対向してスリット１７４、１７５まで貫通して形成されている。
【００５２】
支持部材１５６の長手方向の両端には、凹部１７６、１７７が上下方向に開口して形成されている。凹部１７６、１７７の対向する側面１７６ａ、１７６ｂと側面１７７ａ、１７７ｂには、それぞれ一対の支持孔１７８、１７９が同軸線状に形成されている。凹部１７６、１７７には、補正板１５５の上端１５５ａ側に形成された支持部１５５ｃ、１５５ｄが挿入される。補正板１５５は、支持部１５５ｃ、１５５ｄに形成される孔１８０ａ、１８０ｂと凹部１７６、１７７の支持孔１７８、１７９とにそれぞれ軸１８１Ａ、１８１Ｂを挿通させることで、上端部１５５ａ側を支持部材１５６に回転自在に支持され、下端部１５５ｂを自重で排紙台１５０の上面１５０ｂに当接させている。つまり、補正板１５４、１５５は、図１１に示すように、サイドフェンス１５２、１５３側から排紙台１５０の中央側に向かって下がる傾斜した状態で排紙台１５０の上に配設されている。
【００５３】
支持部材１５６の上面１５６Ａには、第１係合部となる壁部１５６Ｂが設けられている。壁部１５６Ｂは、凹部１７１の両側に分割して配置され、上面１５６Ａにおける排紙台１５０の内側寄りに、上面１５６Ａから上方に向かって突出して形成されている。壁部１５６Ｂの背面１５６Ｃは、下方に向かうにしたがい末広がりとなる傾斜面に形成されている。
【００５４】
サイドフェンス１５３は樹脂製で、その中央下部に、凹部１７１に向かって延出する一対のアーム部１５３ａ、１５３ｂを互いに対向させて形成されている。アーム部１５３ａ、１５３ｂには、軸１８３Ａ、１８３Ｂが長孔１７２、１７３に向かってそれぞれ突設されている。軸１８３Ａ、１８３Ｂは、同一軸線上に配置されていて、図１３に示すように、それぞれを長孔１７２、１７３内に挿通させてサイドフェンス１５３を排紙台外側方向Ｃと排紙台内側方向Ｄに回動自在としている。なお、図１３では、一方の長孔１７２と軸１８３Ａだけを示す。
【００５５】
サイドフェンス１５３の下面１５３Ａは、対向する支持部材１５６の上面１５６Ａとの間に隙間を持って配置され、その長手方向に向かって段部１５３Ｂを壁部１５６Ｂと対向するように形成されている。段部１５３Ｂは、サイドフェンス１５３の内側面１５３Ｄよりも排紙台１５０の外側に向かって凹んで設けられ、サイドフェンス１５３が図１３に実線で示す起立位置を占めるときに壁部１５６Ｂを収容できる深さとなっている。段部１５３Ｂの内面１５３Ｃは、壁部１５６Ｂの背面１５６Ｃ同様、末広がりの傾斜面に形成されていて、サイドフェンス１５３が起立位置を占めるときに背面１５６Ｃと当接してサイドフェンス１５３を起立位置に態位させるようになっている。
【００５６】
支持部材１５６の中央下部１５６ａの下方に位置する上面１５０ｂには、開口部１５０ｃが形成されている。開口部１５０ｃには、両側を下方に向かって折曲した可動板１８２が配置されていて、中央下部１５６ａを載置している。可動板１８２の上部１８２ａと支持板１６４の底部１６４ｃには、ボス部１８２ｂ、１６４ｄが形成されている。これらボス部１８２ｂ、１６４ｄには、コイルスプリング１８６の両端がそれぞれ係止され、可動板１８２を支持板１６４上で上下方向に摺動自在に支持している。コイルスプリング１８６は、可動板１８２に上昇付勢力を与えている。
【００５７】
支持板１６４は、断面Ｕ字状に形成されている。支持板１６４の両側部１６４ａ、１６４ｂには、排紙台幅方向Ｂに延出した溝部１８４、１８５が互いに対向して形成されている。溝部１８４、１８５は、長孔１７２、１７３に挿通された軸１８３Ａ、１８３Ｂにそれぞれ係合するようになっている。溝部１８４、１８５の奥部１８４ａ、１８５ａは、上下方向に向かう長孔状に形成されていて、軸１８３Ａ、１８３Ｂと相まって可動板１８２の上昇習性により上昇付勢される支持部材１５６の位置を規制している。第２実施例では、支持部材１５６が図１３に示す起立位置にあるときに、壁部１５６Ｂをサイドフェンス１５３の段部１５３Ｂにコイルスプリング１８６で付勢して同サイドフェンス１５３を図示のような起立位置に保持している。図１３において、符号１８７は、支持板１６４の摺動範囲を規制するレール１６０に固定したストッパ部材である。
【００５８】
（動作説明）
印刷終了して排紙装置１００に向かって排紙される用紙Ｓ１は、インクの水分により、その両側縁Ｓ１ｂ、Ｓ１ｃが図１１に示すように中央部よりも下がった凸状のアーチ状に湾曲して排紙台１５０に向かって落下する。用紙Ｓ１は、両側縁Ｓ１ｂ、Ｓ１ｃをサイドフェンス１５２、１５３の内側面で案内されて落下し、排紙台１５０上に位置する補正板１５４、１５５で両側縁Ｓ１ｂ、Ｓ１ｃが中央部よりも上に位置する凹状のアーチ状に矯正されて積載される。
【００５９】
排紙台１５０上に積載された用紙Ｓ１を取り出す場合、図１３に示すように、サイドフェンス１５３を排紙台外側方向Ｃに向かって押すと、サイドフェンス１５３は、軸１８３Ａ、１８３Ｂを中心として回動する。サイドフェンス１５３を排紙台外側方向Ｃに回動させる場合、支持部材１５６は起立位置に保持された状態となり、支持部材１５６に取り付けられた補正板１５５もサイドフェンス１５３と一緒に回動しなくなる。
【００６０】
用紙取り出しのためにサイドフェンス１５３を回動させても、排紙台１５０及び補正板１５４、１５５上に積載される用紙Ｓ１を乱すことなく取り出せると共に、補正板１５５やサイドフェンス１５３にも無理な負荷がかからず、両者の破損のおそれがなくなる。操作者が位置する前面Ｚ側に補正板１５５を支持する支持部材１５６を配置するので、用紙Ｓ１の取出し作業がし易くなる。
【００６１】
図１３に実線で示す起立位置に置かれたサイドフェンス１５３を排紙台内側方向Ｄに押すと、サイドフェンス１５３の段部１５３Ｂの内面１５３Ｃが、第１係合部となる壁部１５６Ｂの背面１５６Ｃを押す。すると、サイドフェンス１５３及び支持部材１５６が軸１８３Ａ、１８３Ｂを回動中心として排紙台内側方向Ｄに向かって回動する。支持部材１５６が回動すると、その下端内縁部１５６Ｅで可動板１８２がコイルスプリング１８６の付勢力に抗して押し下げられる。下端内縁部１５６Ｅが軸１８３Ａ、１８３Ｂよりも回転方向下流側に位置すると、可動板１８２がコイルスプリング１８６の付勢力で上昇して支持部材１５６を持ち上げ、サイドフェンス１５３の排紙台内側方向Ｄへの回動を助長する。この回動は、補正板１５５が可動板１８２に当接するまで行なわれ、支持部材１５６及びサイドフェンス１５３が図１４に実線で示す倒れ位置を占める。従って、サイドフェンス１５３を排紙台内側方向Ｄへ回動させると、支持部材１５６も排紙台１５０上に倒れて収納性が良い。
【００６２】
サイドフェンス１５３及び支持部材１５６が図１４に実線で示す倒れ位置を占め、この状態からサイドフェンス１５３を起立位置に向かって回動させると、支持部材１５６だけ排紙台１５０上に倒れた状態で残ってしまう。両者を一度に起立位置に戻す場合には、補正板１５５と排紙台１５０の上面１５０ｂとの間に操作者が指Ｆを差し込み、起立位置に向かって持ち上げれば良い。
【００６３】
（第３実施例）
排紙装置２００は、図１５に示すように、孔版印刷装置９０から排出される印刷を終えた用紙Ｓ１を積載する排紙台２５０、排紙台２５０の矢印Ａで示す用紙排出方向の下流側に配置され用紙Ｓ１の先端Ｓ１ａが当接するエンドフェンス２５１、両矢印Ｂで示す用紙排出方向Ａと交差する排紙台幅方向に配置された一対のサイドフェンス２５２、２５３、補正部材となる一対の補正板２５４、２５５及び補正板２５５を支持する支持部材２５６から主に構成されている。
【００６４】
排紙装置２００は、排紙台幅方向Ｂに対向して設けた係合板２５７ａ、２５７ｂを、孔版印刷装置９０の排紙側に固定された軸２５８ａ、２５８ｂにひっかけて、軸２５８ａ、２５８ｂを中心に孔版印刷装置９０の側面９０ａに向かって回動自在に支持されている（図１参照）。排紙装置２００は、符号Ｚで示す孔版印刷装置９０の操作者が位置する前面側にサイドフェンス２５３が位置するように配置されている。
【００６５】
排紙台２５０は、内部空間を有する箱状に形成されていて、その底板２５０ａにレール２６０が排紙台幅方向Ｂに向かって敷設されている。レール２６０には、支持板２６３、２６４を固着された２つのスライダ２６１、２６２がそれぞれ摺動自在に支持されている。スライダ２６１、２６２はレール２６０に係合していて、支持板２６３、２６４を僅かしか上下方向に移動できないようにしている。
【００６６】
支持板２６３、２６４には、排紙台幅方向Ｂに向かって延出したラック２６５、２６６が互いの歯部２６５ａ、２６６ａを向い合わせにして固定されている。ラック２６５、２６６の歯部２６５ａ、２６６ａは、底板２５０ａに設けた軸２６７に回転自在に支持された共通のピンオン２６８に噛合しており、サイドフェンス２５２、２５３を排紙台幅方向Ｂに向かって相対移動可能としている。
【００６７】
サイドフェンス２５２は、用紙排出方向Ａに向かって延出する軸２６９により図１６にも示すように、矢印Ｃで示す排紙台外側方向と、矢印Ｄで示す排紙台内側方向に向かって回動可能に支持されている。補正板２５４、２５５は、用紙Ｓ１の両側縁Ｓ１ｂ、Ｓ１ｃを上向きに湾曲させるものである。補正板２５４は、その上端部２５４ａをサイドフェンス２５２の下部に軸２７０で回動自在に支持されていて、その下端部２５４ｂを自重で排紙台２５０の上面２５０ｂに当接させている。
【００６８】
支持部材２５６は、用紙排出方向Ａに向かって延出していて、その中央下部２５６ａを下方に向かって突設形成されている。中央下部２５６ａの底は平面を成し、排紙台２５０に設けられる可動板２８２上に載置されることで支持部材２５６を排紙台２５０上に立設させている。中央下部２５６ａの上部には、凹部２７１が形成されている。凹部２７１は、支持部材２５６を排紙台幅方向Ｂに向かって貫通されている。凹部２７１の両側には、支持板２６４の両側部２６４ａ、２６４ｂを挿入するスリット２７４、２７５が支持部材２５６を上下方向に貫通するように形成されている。凹部２７１の両側面２７１ａ、２７１ｂの下部には、軸２７２がスリット２７４、２７５まで貫通して固定されている。
【００６９】
支持部材２５６の長手方向の両端には、上下方向に開口された凹部２７６、２７７が形成されている。凹部２７６、２７７の対向する側面２７６ａ、２７６ｂ及び側面２７７ａ、２７７ｂには、それぞれ支持孔２７８、２７９が同軸線状に形成されている。凹部２７６、２７７には、補正板２５５の上端２５５ａ側に形成された支持部２５５ｃ、２５５ｄが挿入される。補正板２５５は、支持部２５５ｃ、２５５ｄに形成される孔２８０ａ、２８０ｂと凹部２７６、２７７の支持孔２７８、２７９とにそれぞれ軸２８１Ａ、２８１Ｂを挿通させることで、上端部２５５ａ側を支持部材２５６に回転自在に支持され、下端部２５５ｂを自重で排紙台２５０の上面２５０ｂに当接させている。つまり、補正板２５４、２５５は、図１６に示すように、サイドフェンス２５２、２５３側から排紙台２５０の中央側に向かって下がる傾斜状に排紙台２５０の上に配設されている。
【００７０】
サイドフェンス２５３は樹脂製で、図１７、図１８に示すように、その外側部２９０を下方に向かって延出形成していて、サイドフェンス２５３の下面２５３Ａに、外側部２９０の内面２９０ａとサイドフェンス２５３の内側面２５３Ｂまで達する段部２９２を形成している。この段部２９２は、支持部材２５６を収納可能に形成されていて、排紙台２５０の内側寄りに内側面２５３Ｂを延長して爪部２９３を形成配置している。爪部２９３の内面２９３ａは、排紙台２５０の内側に向かった傾斜面に形成されている。
【００７１】
外側部２９０の下端２９０ｂには、支持部材２５６の外側下部に形成された一対の軸受部２９１に回転自在に支持される軸２８３が、支持部材２５６の長手方向に、その両端を突出するように固定されている。軸２８３は、サイドフェンス２５３を排紙台外側方向Ｃと排紙台内側方向Ｄに回動自在に支持している。各軸受部２９１は排紙台２５０の上面２５０ｂ上に載置するように形成されている。
【００７２】
図１８に示すように、支持部材２５６の後面２５６ｂの上部には、凸部２９５が排紙台２５０の外側に向かって形成されている。この凸部２９５は、サイドフェンス２５３が図１８に実線で示す起立位置から排紙台内側方向Ｄに回動するときに外側部２９０の内面２９０ａと当接する第１係合部を構成している。凸部２９５を形成しない場合には、内面２９０ａを直接後面２５６ｂに当接させるようにすれば、後面２５６ｂが第１係合部となる。
【００７３】
支持部材２５６の上面２５６Ａは、排紙台内側方向Ｄに向かって下がる円弧状に形成されている。この上面２５６Ａは、その内縁側２５６Ｂから外縁側２５６Ｃに向かうにしたがい、サイドフェンス２５３が軸２８３を中心に排紙台外側方向Ｃに回動するときに爪部２９３の先端部２９３ｂが描く回動軌道Ｏ’よりも下方となる曲率となっている。内縁側２５６Ｂ近傍の上面２５６Ａには、爪部２９３の内面２９３ａと係合する第２係合部となる突起２７３が、中央の凹部２７１を境に分割して設けられている。
【００７４】
突起２７３は、半円筒状で爪部２９３の内面２９３ａと係合するように、その円弧面を上方に向けて上面２５６Ａ上に配置されている。突起２７３は、サイドフェンス２５３が図２０に実線で示す倒れ位置から起立位置へ向かうときの、先端部２９３ｂの回動軌道ＯＡ上に配置されていて、サイドフェンス２５３が倒れ位置から起立位置に向かって回動するときに爪部２９３の内面２９３ａと係合するようになっている。突起２７３と内面２９３ａとのオーバラップ量は、サイドフェンス２５３が図１８に実線で示す起立位置から排紙台外側方向Ｃに回動するときに、先端部２９３ｂが乗り越えられる程度に設定されている。
【００７５】
支持部材２５６の中央下部２５６ａの下方に位置する上面２５０ｂには、開口部２５０ｃが形成されている。開口部２５０ｃには、側面を下方に折曲された可動板２８２が、中央下部２５６ａを載置するように配置されている。可動板２８２の上部２８２ａと支持板２６４の底部２６４ｃには、ボス部２８２ｂ、２６４ｄがそれぞれ形成されている。これらボス部２８２ｂ、２６４ｄには、コイルスプリング２８６の両端がそれぞれ係止され、可動板２８２に上昇付勢力を与えている。
【００７６】
支持板２６４は、図１７に示すように、その両側部２６４ａ、２６４ｂを上方に向かって折曲げて断面Ｕ字状に形成されている。両側部２６４ａ、２６４ｂには、排紙台幅方向Ｂに延出した溝部２８４、２８５が互いに対向して形成されている。溝部２８４、２８５は、スリット２７４、２７５内に位置する軸２７２の両端と係合するようになっている。溝部２８４、２８５の奥部２８４ａ、２８５ａは、上下方向に向かう長孔状に形成されていて、軸２７２と相まって可動板２８２により上昇付勢される支持部材２５６の位置を規制している。図１８において、符号２８７は、支持板２６４の摺動範囲を規制するレール２６０に固定したストッパ部材である。
【００７７】
（動作説明）
印刷終了して排紙装置２００に向かって排紙される用紙Ｓ１は、インクの水分により、その両側縁Ｓ１ｂ、Ｓ１ｃが図１６に示すように中央部よりも下がった凸状のアーチ状に湾曲して排紙台２５０に向かって落下する。用紙Ｓ１は、両側縁Ｓ１ｂ、Ｓ１ｃをサイドフェンス２５２、２５３の内側面に案内されて落下し、排紙台２５０上に位置する補正板２５４、２５５で両側縁Ｓ１ｂ、Ｓ１ｃが中央部よりも上に位置する凹状のアーチ状に矯正されて積載される。
【００７８】
排紙台２５０上に積載された用紙Ｓ１を取り出す場合、図１９に示すように、サイドフェンス２５３を排紙台外側方向Ｃに向かって押すと、サイドフェンス２５３は、軸２８３を中心として回動する。爪部２９３の先端部２９３ｂが突起２７３を超えようとすると、軸受部２９１が上面２５０ｂ上に載置されているため、支持部材２５６の下端内縁部２５６Ｄが可動板２８２を押して支持部材２５６が軸２８３を中心に傾く。この結果、突起２７３が回動軌道Ｏ’よりも下方に一時的に変位して爪部２９３の通過を容易とする。爪部２９３が突起２７３上を通過すると、支持部材２５６は、コイルスプリング２８６の付勢力がかかる可動板２８２によって起立位置に戻される。
【００７９】
サイドフェンス２５３を排紙台外側方向Ｃに回動させる場合、支持部材２５６は起立位置に保持されるので、支持部材２５６に取り付けられた補正板２５５もサイドフェンス２５３と一緒に回動しなくなる。従って、用紙取り出しのためにサイドフェンス２５３を回動させても、排紙台２５０及び補正板２５４、２５５上に積載される用紙Ｓ１を乱すことなく取り出せると共に、補正板２５５やサイドフェンス２５３にも無理な負荷がかからず、両者の破損のおそれがなくなる。操作者が位置する前面Ｚ側に補正板２５５を支持する支持部材２５６を配置するので、用紙Ｓ１の取出し作業がし易くなる。
【００８０】
図１８に実線で示す起立位置に置かれたサイドフェンス２５３を排紙台内側方向Ｄに押すと、外側部２９０の内面２９０ａが、第１係合部となる凸部２９５を押す。すると、サイドフェンス２５３及び支持部材２５６が、支持部材２５６の軸２７２を回動中心として排紙台内側方向Ｄに向かって回動する。支持部材２５６が回動すると、その下端内縁部２５６Ｄにより可動板２８２が図２０に２点鎖線で示すように、コイルスプリング２８６の付勢力に抗して押し下げられる。下端内縁部２５６Ｄが軸２７２よりも回転方向下流側に位置すると、可動板２８２がコイルスプリング２８６の付勢力で上昇して支持部材２５６を持ち上げ、サイドフェンス２５３の排紙台内側方向Ｄへの回動を助長する。この回動は、補正板２５５が可動板２８２に当接するまで行なわれ、支持部材２５６及びサイドフェンス２５３が実線で示す倒れ位置を占める。従って、サイドフェンス２５３を排紙台内側方向Ｄへ回動させると、支持部材２５６もサイドフェンス２５３と一緒に排紙台２５０上に倒れ、収納性が良い。
【００８１】
サイドフェンス２５３及び支持部材２５６が図２０に実線で示す倒れ位置を占め、この状態からサイドフェンス２５３を起立位置に向かって回動させる。この時、サイドフェンス２５３を支持する軸２８３は、サイドフェンス２５３が起立位置にある時の、軸２８３の位置に対して上方に位置されているので、爪部２９３の先端部２９３ｂの回動軌道ＯＡと、支持部材２５６の上面２５６とＡが干渉状態となる。このことにより、突起２７３と爪部２９３の内面２９３ａとの係合状態が強固に保持され、サイドフェンス２５３を起立位置に向かって回動させると支持部材２５６も一体的に回動される。従って、サイドフェンス２５３及び支持部材２５６を一度の動作で起立位置に戻すことができ、排紙装置２００の操作性が第１実施例及び第２実施例で説明した排紙装置に比べて格段に良くなる。
【００８２】
サイドフェンス２５３と支持部材２５６とが一体的となると、両者は、軸２７２を中心として回動するので、この起立方向への回動に伴い支持部材２５６の下端内縁部２５６Ｄで可動板２８２が図２０に２点鎖線で示すように、コイルスプリング２８６の付勢力に抗して押し下げられる。下端内縁部２５６Ｄが軸２７２よりも回転方向下流側に位置すると、可動板２８２がコイルスプリング２８６の付勢力で上昇して支持部材２５６を持ち上げ、サイドフェンス２５３の起立方向への回動が助長される。起立方向へのサイドフェンス２５３及び支持部材２５６の回動は、支持部材２５６の軸受部２９１が排紙台２５０の上面２５０ｂと接触し、中央下部２５６ａの平面状の下面が可動板２８２上に載置されることで終了する。この時、軸２７２は、溝２８４、２８５の奥部２８４ａ、２８５ａによってその上昇位置を規制されるため、コイルスプリング２８６の付勢力による支持部材２５６の上昇変位が抑えられ起立位置に保持される。
【００８３】
第１実施例及び第２実施例では、サイドフェンス５３、１５３と支持部材５６、１５６とを、それぞれ軸８３Ａ、８３Ｂ及び軸１８３Ａ、１８３Ｂで同軸状に支持する構成としたが、第３実施例のように、両者の軸を個別に設けて個別な回動中心とする構成を採っても良い。また、第３実施例においては、第１実施例並びに第２実施例にならい、サイドフェンス２５３を支持部材２５６に設けた軸２７２上に同軸上に配置して回動自在に支持する構成としても良い。
【００８４】
なお、各実施例において、補正板５５、１５５、２５５は、支持部材５６、１５６、２５６に回動自在に支持して設けているが、排紙台５０、１５５、２５５の上面にサイドフェンス５３、１５３、２５３と個別に配置して設けても良い。各実施例で説明した支持部材を、サイドフェンス５４、１５４、２５４側にも設け、この支持部材に各サイドフェンスの下部近傍に配置される補正板５４、１５４、２５４を回動自在に設けたり、あるいは補正板５４、１５４、２５４を排紙台５０、１５５、２５５の上面にサイドフェンス５４、１５４、２５４と個別に配置して設けても良い。
【００８５】
【発明の効果】
本発明によれば、補正部材をサイドフェンスと個別に排紙台側に設けることで、サイドフェンスを排紙台の外側に向かって回動させても補正部材が一緒に回動しなくなり、排紙台に積載される画像形成後の用紙の排紙台上での両側縁の整合を保ちながら、整合された用紙の取出し操作を容易に行なえる。補正部材がサイドフェンスと一緒に回動しないので、用紙積載時にサイドフェンスを倒してもサイドフェンスや補正部材に用紙の負荷がかからず、両者の破損がなくなる。
【００８６】
本発明によれば、サイドフェンスを排紙台の外側に向かって回動させても支持部材が起立位置に保持されるので、サイドフェンスの排紙台の外側への回動時における補正部材の移動がなくなり、排紙台に積載される画像形成後の用紙の排紙台上での両側縁の整合がより良く保たれる。
【００８７】
本発明によれば、補正部材の上端部を回動自在に支持した支持部材に設けた第１係合部が、サイドフェンスの排紙台への回動時に同フェンスの一部と係合するので、支持部材をサイドフェンスと一緒に排紙台に向かって倒すことができ、上記の発明に対する効果に加えて装置の収納性が良くなる。
【００８８】
本発明によれば、サイドフェンスを倒れ位置から起立位置へ回動させると支持部材も同一方向に回動するので、サイドフェンスと支持部材を一緒に起立させることができ、上記の発明に対する効果に加えて装置の操作性が良くなる。
【図面の簡単な説明】
【図１】本発明が適用される画像形成装置の一例を示す概略構成図である。
【図２】本発明の第１実施例を示す排紙装置の一部破断平面図である。
【図３】画像形成装置側から見た第１実施例にかかる排紙装置の正面図である。
【図４】第１実施例の要部となる補正部材と支持部材及びサイドフェンスの概略構成を示す一部破断側面図である。
【図５】第１実施例の要部となる補正部材と支持部材及びサイドフェンスの構成を示す分解斜視図である。
【図６】第１実施例における支持部材及びサイドフェンスの起立位置を示す一部破断拡大断面図である。
【図７】第１実施例におけるサイドフェンスの排紙台外側方向への動作を示す拡大断面図である。
【図８】第１実施例におけるサイドフェンスと支持部材の排紙台内側方向への初期動作を示す拡大断面図である。
【図９】第１実施例におけるサイドフェンスと支持部材の排紙台内側方向への動作と倒れ位置を示す拡大断面図である。
【図１０】本発明の第２実施例を示す排紙装置の一部破断平面図である。
【図１１】画像形成装置側から見た第２実施例にかかる排紙装置の正面図である。
【図１２】第２実施例の要部となる補正部材と支持部材及びサイドフェンスの構成を示す分解斜視図である。
【図１３】第２実施例における支持部材及びサイドフェンスの起立位置とサイドフェンスの排紙台外側方向への動作を示す一部破断拡大断面図である。
【図１４】第２実施例におけるサイドフェンスと支持部材の排紙台内側方向への動作と倒れ位置を示す拡大断面図である。
【図１５】本発明の第３実施例を示す排紙装置の一部破断平面図である。
【図１６】画像形成装置側から見た第３実施例にかかる排紙装置の正面図である。
【図１７】第３実施例の要部となる補正部材と支持部材及びサイドフェンスの構成を示す分解斜視図である。
【図１８】第３実施例における支持部材及びサイドフェンスの起立位置を示す一部破断拡大断面図である。
【図１９】第３実施例におけるサイドフェンスの排紙台外側方向への動作と支持部材の動作を示す拡大断面図である。
【図２０】第３実施例におけるサイドフェンスと支持部材の排紙台内側方向への動作と倒れ位置を示す拡大断面図である。
【符号の説明】
１、１００、２００            排紙装置
５０、１５０、２５０          排紙台
５１、１５１、２５１          エンドフェンス
５３、１５３、２５３          一方のサイドフェンス
５２、１５２、２５２          サイドフェンス
５４、５５                    補正部材
１５４、１５５                補正部材
２５４、２５５                補正部材
９０                          画像形成装置
５５ａ、１５５ａ、２５５ａ    補正部材上端部
５６、１５６、２５６          支持部材
５６Ａ、１５６Ｂ、２９５      第１係合部
２７３                        第２係合部
Ａ                            用紙排出方向
Ｂ                            排紙台幅方向
ＯＡ                          起立位置へ向かう回動軌道
Ｓ１                          画像形成後の用紙
Ｓ１ａ                        用紙の先端
Ｓ１ｂ、Ｓ１ｃ                用紙の両側縁
【図１】
0003691182.tif 000002
【図２】
0003691182.tif 000003
【図３】
0003691182.tif 000004
【図４】
0003691182.tif 000005
【図５】
0003691182.tif 000006
【図６】
0003691182.tif 000007
【図７】
0003691182.tif 000008
【図８】
0003691182.tif 000009
【図９】
0003691182.tif 000010
【図１０】
0003691182.tif 000011
【図１１】
0003691182.tif 000012
【図１２】
0003691182.tif 000013
【図１３】
0003691182.tif 000014
【図１４】
0003691182.tif 000015
【図１５】
0003691182.tif 000016
【図１６】
0003691182.tif 000017
【図１７】
0003691182.tif 000018
【図１８】
0003691182.tif 000019
【図１９】
0003691182.tif 000020
【図２０】
0003691182.tif 000021